(57)【要約】【課題】うがい水によるうがいの回数を増やさずに、治療に対する満足度を高める歯科用スピットンおよび歯科治療ユニットを提供する。【解決手段】歯科治療椅子の側方に配置された歯科用スピットン１０である。うがい水の供給回路、および、うがい水の供給回路に設けられた給水ノズル２６を有し、給水ノズルからコップにうがい水を供給するうがい水供給装置と、うがい水の供給回路とは別個に設けられた洗口液の供給回路、および、洗口液の供給回路に設けられ、かつ、給水ノズルの近傍に設けられた注入ノズル３６を有し、注入ノズルからコップに洗口液を供給する洗口液供給装置と、を有する。【選択図】図２
2019187555.tif 000002
【特許請求の範囲】
【請求項１】
歯科治療椅子の側方に配置された歯科用スピットンであって、
うがい水の供給回路、および、該うがい水の供給回路に設けられた給水ノズルを有し、該給水ノズルからコップにうがい水を供給するうがい水供給装置と、
前記うがい水の供給回路とは別個に設けられた洗口液の供給回路、および、該洗口液の供給回路に設けられ、かつ、前記給水ノズルの近傍に設けられた注入ノズルを有し、該注入ノズルからコップに洗口液を供給する洗口液供給装置と、
を有することを特徴とする歯科用スピットン。
【請求項２】
加温された前記洗口液が前記注入ノズルからコップに供給されることを特徴とする請求項１に記載の歯科用スピットン。
【請求項３】
前記うがい水供給装置が、前記給水ノズルからコップに供給されるうがい水を加温するうがい水温水器を有し、前記洗口液供給装置が、前記うがい水温水器に近接配置されて、前記洗口液を貯留する洗口液タンクを有することを特徴とする請求項２に記載の歯科用スピットン。
【請求項４】
前記洗口液供給装置が、コップに前記洗口液の供給を開始するための押しボタンを有することを特徴とする請求項１〜３のいずれか一項に記載の歯科用スピットン。
【請求項５】
請求項１〜４のいずれか一項に記載の歯科用スピットンを搭載したことを特徴とする歯科治療ユニット。
【発明の詳細な説明】
【技術分野】
【０００１】
本発明は、歯科用スピットンおよび歯科治療ユニットに関し、詳細には、歯科治療椅子の側方に配置された歯科用スピットンおよび歯科治療ユニットに関する。
【背景技術】
【０００２】
歯科用スピットンは、例えば、うがい鉢やコップ配置台を有し、歯科治療椅子の側方に配置される。例えば、特許文献１には、歯科用スピットンの構造が開示されている。コップ配置台にコップを置くと、うがい水がコップに供給可能である。術者が患者を治療して口腔内のうがいを促した場合、患者は、コップ内のうがい水で口腔内をうがいし、うがい後の水をうがい鉢に排出する。
【先行技術文献】
【特許文献】
【０００３】
【特許文献１】特開２０１０−９９１２８号公報
【発明の概要】
【発明が解決しようとする課題】
【０００４】
しかしながら、患者は、うがい水で口腔内をうがいしても、治療箇所からの血の味がしたり、治療に使用した薬品の味がしたりするため、口腔内がすっきりしないことがある。このため、口腔内がすっきりするまでうがいの回数を増やすと、治療時間（チェアータイムともいう）が長くなる。よって、うがいの回数を増やすことなく、口腔内をすっきりさせることが望まれる。
【０００５】
本発明は、上述のような実情に鑑みてなされたもので、うがい水によるうがいの回数を増やさずに、治療に対する満足度を高める歯科用スピットンおよび歯科治療ユニットを提供することを目的とする。
【課題を解決するための手段】
【０００６】
上記課題を解決するために、請求項１の発明は、歯科治療椅子の側方に配置された歯科用スピットンであって、うがい水の供給回路、および、該うがい水の供給回路に設けられた給水ノズルを有し、該給水ノズルからコップにうがい水を供給するうがい水供給装置と、前記うがい水の供給回路とは別個に設けられた洗口液の供給回路、および、該洗口液の供給回路に設けられ、かつ、前記給水ノズルの近傍に設けられた注入ノズルを有し、該注入ノズルからコップに洗口液を供給する洗口液供給装置と、を有することを特徴としている。
【０００７】
請求項２の発明は、請求項１の発明において、加温された前記洗口液が前記注入ノズルからコップに供給されることを特徴としている。
【０００８】
請求項３の発明は、請求項２の発明において、前記うがい水供給装置が、前記給水ノズルからコップに供給されるうがい水を加温するうがい水温水器を有し、前記洗口液供給装置が、前記うがい水温水器に近接配置されて、前記洗口液を貯留する洗口液タンクを有することを特徴としている。
【０００９】
請求項４の発明は、請求項１から３の発明において、前記洗口液供給装置が、コップに前記洗口液の供給を開始するための押しボタンを有することを特徴としている。
【００１０】
請求項５の発明は、請求項１から４の発明の歯科用スピットンを搭載した歯科治療ユニットであることを特徴としている。
【発明の効果】
【００１１】
本発明によれば、歯科用スピットンから洗口液（口内洗浄剤ともいう）を供給できるので、患者は口腔内がすっきりして、治療に対して高い満足度を得ることができる。また、口腔内が殺菌されて治療効果を高めることができる。さらに、うがい水によるうがいの回数が増えないため、治療時間の短縮化を図ることができる。また、洗口液は、うがい水の供給回路とは別の供給回路を経てコップに供給されることから、仮にうがい水の供給回路に不具合が生じても、洗口液がうがい水の供給回路を介して上水道に混入することがない。
【図面の簡単な説明】
【００１２】
【図１】本発明の歯科用スピットンを搭載した歯科治療ユニットの一実施形態を説明するための斜視図である。
【図２】歯科用スピットンの斜視図である。
【図３】歯科用スピットンの機能ブロック図である。
【図４】うがい水の供給回路および洗口液の供給回路を説明するための図である。
【発明を実施するための形態】
【００１３】
以下、図面を参照しながら本発明の歯科用スピットンおよび歯科治療ユニットについて説明する。図１は、本発明の歯科用スピットンを搭載した歯科治療ユニットの一実施形態を説明するための斜視図である。
歯科治療ユニットは、例えば、歯科治療椅子１、歯科用スピットン１０、ワークテーブル８等からなり、歯科治療椅子１は、昇降部４によって上下動や傾斜動が可能に構成されている。昇降部４は、基台３上に設置され、コンターシート２の下側に連結されている。
【００１４】
歯科用スピットン１０は、歯科治療椅子１の側方に配置され、例えば、コンターシート２の側方に連結された給排水ボックス５上に設置されている。歯科用スピットン１０の後方には、無影灯６が設けられており、例えばこの無影灯６の支柱にはアーム７が回動自在に取り付けられている。
ワークテーブル８はアーム７に取り付け可能に構成され、ワークテーブル８には、種々の歯科用インスツルメントがホルダに保持されている。
【００１５】
図２は、歯科用スピットンの斜視図、図３は、歯科用スピットンの機能ブロック図であり、図４は、うがい水の供給回路および洗口液の供給回路を説明するための図である。
図２に示すように、歯科用スピットン１０は、その一端側に上方に向けて開口した円形状のうがい鉢１１を有する。うがい鉢１１の近傍には洗浄用ノズル１２が設置され、洗浄用の水をうがい鉢１１の内壁に供給可能である。
【００１６】
そして、歯科用スピットン１０には、うがい水供給装置と洗口液供給装置が搭載されている。詳しくは、歯科用スピットン１０の他端側には、供給装置カバー１３が立設されており、供給装置カバー１３の先端には、うがい水を供給可能な給水ノズル２６が設置されている。この給水ノズル２６は下方に向けて突出し、給水ノズル２６の下方には、コップ配置台１５が設けられている。
【００１７】
供給装置カバー１３は、コップ配置台１５の側方に光センサ１４を有し、コップ配置台１５に置かれたコップを検出する。
また、図２に示すように、供給装置カバー１３の例えば側面には、洗口液を供給可能な注入ノズル３６が設置されている。この注入ノズル３６も下方に向けて突出しており、注入ノズル３６の下方には、洗口液供給用の押しボタン１６が設けられている。
【００１８】
図３に示すように、歯科用スピットン１０は、光センサ１４や押しボタン１６の他、例えばうがい水温水器２２、電磁弁２４、しごきポンプ３４、制御部４０を有し、これらはバスを介して接続される。制御部４０は、ＣＰＵやメモリ等からなり、メモリの例えばＲＯＭに格納されている各種プログラムやデータをＲＡＭにロードし、各種プログラムを実行することにより、歯科用スピットン１０の動作を制御することができる。
【００１９】
うがい水温水器２２や電磁弁２４は、図４に示すように、うがい水の供給回路２０に設けられる。具体的には、うがい水温水器２２は、給水管２１を経由して上水道に接続される。うがい水温水器２２は、うがい水噴射管２３に接続されており、うがい水噴射管２３の途中には、電磁弁２４やオリフィス２５が設置され、うがい水噴射管２３の先端に、給水ノズル２６が設けられている。
【００２０】
コップ配置台１５にコップを置くと、光センサ１４で検出され、制御部４０がうがい水温水器２２や電磁弁２４を駆動する。これにより、上水道からの水がうがい水温水器２２に導入され、うがい水温水器２２で加温されたうがい水が、給水ノズル２６からコップに所定量供給される。
一方、しごきポンプ３４は、図４に示すように、洗口液の供給回路３０に設けられる。具体的には、洗口液の供給回路３０は、洗口液を一時的に貯留可能な洗口液タンク３２を有する。
【００２１】
洗口液タンク３２は、注液管３１に接続され、例えばボトル（図示省略）から注がれた洗口液が注液管３１から洗口液タンク３２に導入される。
また、洗口液タンク３２は、うがい水温水器２２に近接配置（図４に示すように、例えばうがい水温水器２２の上に載っている）されており、洗口液タンク３２に溜められた洗口液は加温されている。洗口液を加温すれば、薬が傷に沁み難くなり、患者が不快感をもち難くなる。また、うがい水温水器２２で生じた熱を利用して洗口液を加温すれば、洗口液を効率よく加温することができる。
【００２２】
洗口液タンク３２は、洗口液供給管３３に接続されており、洗口液供給管３３の途中には、しごきポンプ３４が設置され、洗口液供給管３３の先端に、注入ノズル３６が設けられている。
図２に示すように、注入ノズル３６の下方にコップＣをもっていき、押しボタン１６を１回押すと、制御部４０がしごきポンプ３４を駆動する。これにより、洗口液は、しごきポンプ３４から予め決められた量だけ送出され、注入ノズル３６からコップＣに供給される。これにより、患者が年配者や小児でも、洗口液をコップＣに容易に溜めて使用することができる。
【００２３】
このように、歯科用スピットン１０から洗口液を供給できるので、患者は口腔内がすっきりして、治療に対して高い満足度を得ることができる。また、口腔内を殺菌して治療効果を高めることができる。さらに、うがい水によるうがいの回数が増えないため、治療時間の短縮化を図ることができる。また、洗口液は、うがい水の供給回路２０とは別の供給回路３０を経てコップに供給されることから、仮にうがい水の供給回路２０に不具合が生じても、洗口液がうがい水の供給回路２０を介して上水道に混入することがない。この結果、歯科用スピットン１０を設置した医院外の汚染のリスクを無くすことができる。
【００２４】
また、歯科用スピットン１０を搭載すれば、治療効果を高めるとともに、治療時間の短縮化を達成可能な歯科治療ユニットを提供することができる。
ところで、上記実施例では、１台の洗口液タンク３２を設けた例を挙げて説明したが、本発明は必ずしもこの例に限定されない。例えば、複数台の洗口液タンクを配置し、複数種類の洗口液を患者が選択できるようにしてもよい。
【００２５】
さらに、上記実施例では、洗口液タンク３２内の洗口液をうがい水温水器２２で加温する例を説明した。しかし、洗口液専用の温水器を洗口液タンクの下流側に設置することも可能である。
また、押しボタン１６を１回押した場合に、洗口液をコップに供給する例で説明したが、押しボタン１６を押し下げている間は、洗口液をコップに供給し続ける構成であってもよい。また、しごきポンプ３４に替えて、電磁弁とオリフィスを用いて洗口液を注入ノズルからコップに供給することも可能である。
【符号の説明】
【００２６】
１…歯科治療椅子、２…コンターシート、３…基台、４…昇降部、５…給排水ボックス、６…無影灯、７…アーム、８…ワークテーブル、１０…歯科用スピットン、１１…うがい鉢、１２…洗浄用ノズル、１３…供給装置カバー、１４…光センサ、１５…コップ配置台、１６…押しボタン、２０…うがい水の供給回路、２１…給水管、２２…うがい水温水器、２３…うがい水噴射管、２４…電磁弁、２５…オリフィス、２６…給水ノズル、３０…洗口液の供給回路、３１…注液管、３２…洗口液タンク、３３…洗口液供給管、３４…しごきポンプ、３６…注入ノズル、４０…制御部。
【図１】
2019187555.tif 000003
【図２】
2019187555.tif 000004
【図３】
2019187555.tif 000005
【図４】
2019187555.tif 000006